(57)【特許請求の範囲】
【請求項１】
各セクタが患者に対応し、タイルに対応する患者の患者データが表示される１以上のタイルを有する複数のセクタを表示するディスプレイであって、各タイルは最小サイズを有する、ディスプレイと、
複数の臨床テーマを記憶するよう構成されるルックアップテーブルであって、各臨床テーマは、リストされた各患者データが対応する臨床テーマに対する相対的な優先度と関連付けされる対応する優先順位付けされたリストを有する、ルックアップテーブルと、
前記臨床テーマの選択されたものの選択を入力するよう構成される入力部と、
前記ディスプレイの対応するセクタのタイルにおいて対応する患者からの患者データを表示するよう前記ディスプレイを制御するよう構成されるコントローラであって、
前記選択された臨床テーマの対応する優先順位付けされたリストにおける何れかの患者データが表示のため前記患者に対して利用可能であるか判断し、
前記選択された臨床テーマに従って前記優先度を有する患者データを前記対応するセクタのタイルに入力し、
利用可能な最も高い優先度の患者データを有するタイルを前記対応するセクタに充填及び入力するため、前記タイルの個数及びサイズを調整するようプログラムされるコントローラと、
を有する患者モニタリングステーション。
【請求項２】
前記コントローラはさらに、前記臨床テーマが新たなテーマに変更されるとき、前記新たなテーマの利用可能な最も高い優先度の患者データを表示するよう調整される前記タイルのサイズ及び個数を前記ディスプレイのセクタの少なくとも１つのタイルにリアルタイムに自動的に再入力するようプログラムされる、請求項１記載の患者モニタリングステーション。
【請求項３】
前記コントローラはさらに、前記セクタのサイズ、前記選択された臨床テーマに対する前記タイルの優先度及び前記選択された臨床テーマの患者データの優先順位付けされたリストからの利用可能な患者データに基づき、前記セクタに入力するタイルを選択するようプログラムされる、請求項１記載の患者モニタリングステーション。
【請求項４】
前記コントローラはさらに、より多く又はより少ないセクタスペースが利用可能になる場合、前記表示されるタイルの個数、配置及びサイズを動的に調整するようプログラムされる、請求項１記載の患者モニタリングステーション。
【請求項５】
各セクタが１以上のタイルを有する複数のセクタを表示するディスプレイと、
前記ディスプレイの対応するセクタにおいて患者情報サーバから受信した患者データを表示するよう構成されるコントローラであって、
選択された臨床テーマに従って患者データを前記セクタのタイルに入力し、ここで、前記臨床テーマは、体組織、病気、関心コンセプト、患者の位置、担当医師、病気の状態及び処置計画の少なくとも１つに基づくものであり、
前記臨床テーマのそれぞれのタイル優先度に基づき前記タイルを選択し、ここで、各臨床テーマについて、タイル割当ての系列はルックアップテーブルにおいて優先順位付けされ、各タイルは、前記コントローラが前記セクタのレイアウトを決定することを可能にするための最大サイズ及び最小サイズを有する、前記コントローラと、
を有する患者モニタリングステーション。
【請求項６】
前記コントローラはさらに、前記セクタにおいて利用可能なスペースを最適化するため、前記セクタの表示されるタイルの個数とサイズとの双方を調整するようプログラムされる、請求項５記載の患者モニタリングステーション。
【請求項７】
各テーマは、最も高い優先度の患者データから最も低い優先度の患者データまでの患者データの優先順位付けされたリストを有し、前記コントローラはさらに、
前記選択されたテーマについて、前記選択されたテーマの優先順位付けされたリストにおける何れかの患者データが前記患者情報サーバから利用可能であるか判断し、
前記利用可能な患者データに対応するタイルの最小タイルサイズを決定し、
前記最小タイルサイズの前記利用可能な患者データのタイルが前記セクタに適合するか判断し、
前記最小タイルサイズのタイルが適合しない場合、適合する最も高い優先度のタイルを表示するよう前記ディスプレイを制御し、
前記最小タイルサイズのタイルが前記セクタに適合するが充填しない場合、より高い優先度のタイルの１以上を拡大し、前記拡大された１以上のより高い優先度のタイルにより前記利用可能なタイルを表示するよう前記ディスプレイを制御するようプログラムされる、請求項５記載の患者モニタリングステーション。
【請求項８】
各臨床テーマは、前記複数のセクタに入力するタイルの優先度を有し、前記タイルは前記臨床テーマとの関連性に基づき優先順位付けされる、請求項５記載の患者モニタリングステーション。
【請求項９】
前記コントローラはさらに、患者が回復又は悪化する場合、前記臨床テーマを動的に変更し、前記表示されるタイルの選択、配置及びサイズを調整するようプログラムされる、請求項５記載の患者モニタリングステーション。
【請求項１０】
前記患者情報サーバと、
請求項５記載の１以上の患者モニタリングステーションと、
を有する患者モニタリングシステム。
【請求項１１】
医療パラメータを表示する方法であって、
複数の臨床テーマをルックアップテーブルに記憶するステップであって、各臨床テーマは、リストされている各患者データが対応する臨床テーマに対する関連性を示す優先度に関連付けされる患者データの対応する優先順位付けされたリストを有する、記憶するステップと、
前記臨床テーマの選択されたものを選択するステップと、
前記選択されたテーマの対応する優先順位付けされたリストにおける何れかの患者データが表示のため利用可能であるか決定するステップと、
複数のセクタを表示するようディスプレイを制御するステップであって、各セクタは患者に対応し、タイルに対応する患者の利用可能な患者データが表示される１以上のタイルを有する、制御するステップと、
前記選択された臨床テーマに従って前記患者データを前記対応するセクタのタイルに含めるステップと、
最も高い優先度の患者データにより対応するセクタを充填するため、前記表示されたタイルの個数及びサイズの少なくとも１つを調整するステップと、
を有する方法。
【請求項１２】
前記選択された臨床テーマの変更に応答して、表示されるタイルの個数及びサイズを最適化するため、前記セクタにおいて利用可能なスペースについて前記タイルをサイズ調整するステップをさらに有する、請求項１１記載の方法。
【請求項１３】
前記患者データは、現在モニタリングされている生理データと履歴生理データとの少なくとも１つを含む、請求項１１記載の方法。
【請求項１４】
前記臨床テーマは、体組織、病気、関心コンセプト、患者の位置、担当医師、病気の状態及び処置計画の少なくとも１つに基づく、請求項１１記載の方法。
【請求項１５】
より多く又はより少ないセクタスペースが利用可能になる場合、前記表示されるタイルの選択、配置及びサイズを動的に調整するステップを更に有する、請求項１１記載の方法。
【請求項１６】
患者が回復又は悪化した場合、前記臨床テーマを動的に変更し、前記表示されるタイルの選択、配置及びサイズを調整するステップをさらに有する、請求項１１記載の方法。
【請求項１７】
プロセッサにロードされると、請求項１１記載の方法を実行するよう前記プロセッサをプログラムするソフトウェアを有するコンピュータ可読媒体。
【請求項１８】
ディスプレイと、
生理データが受信される入力と、
請求項１１記載の方法を実行するようプログラムされる１以上のプロセッサと、
を有する患者モニタリングステーション。
【請求項１９】
前記タイルは最小タイルサイズを有し、
前記選択されたテーマに対応する患者データの優先順位付けされたリストからの利用可能な患者データによる最小タイルサイズのタイルが前記対応するセクタに適合するか判断するステップを更に有し、
前記最小タイルサイズのタイルの全てが適合するとは限らない場合、前記セクタが充填されるまで、最も高い優先度を有するタイルの一部のみを表示するよう前記ディスプレイを制御するステップと、
前記最小タイルサイズのタイルが前記セクタに適合するが、充填されない場合、最も高い優先度のタイルの１以上を前記ディスプレイ上で拡大するステップと、
を有する、請求項１１記載の方法。
【発明の詳細な説明】
【技術分野】
【０００１】
本出願は、患者の生理状態をモニタリングする医療モニタリング装置及び臨床データ表示装置に関する。それは、患者モニタ、中央モニタリングシステム、ベッドサイドモニタ又はモバイルモニタリングディスプレイ上の患者情報構成及びアクセス性を向上させる用途があり、これを参照して説明される。
【背景技術】
【０００２】
現在、中央ステーション又は他のマルチ患者モニタリング装置は、各患者に割り当てられたディスプレイの固定エリア又はセクタを有する。モニタリングセクタは、各種タイプの患者情報を表示する複数のタイルを有する。各セクタには、典型的には、患者の識別情報、患者の状態、アラーム、ＥＧＧ信号、呼吸信号、脈拍、血圧、ＳｐＯ２、患者の健康状態の他の指標などの生理パラメータを表示する複数のタイルが含まれる。より多くの生理パラメータがモニタリングされるに従って、表示される情報は、典型的には、患者に割り当てられた固定セクタに適合させるため、圧縮され、又はより小さく読むのが困難なサイズで表示される。中央ステーション又は他のマルチ患者モニタリング装置のセクタ及びタイルはまた、医師により設定可能であり、設定によって、システムは、重要な変化について、当該装置が設定モードに置かれる必要があり、その後にセクタ及びタイルが大きく固定され続けることを求める可能性がある。患者生理パラメータ測定装置がより広範に利用可能になるに従って、ますます多くの生理パラメータが各患者について測定される。
【発明の概要】
【発明が解決しようとする課題】
【０００３】
本出願は、上述した問題などを解消する新規で改良された患者モニタリング装置を提供する。
【課題を解決するための手段】
【０００４】
一態様によると、患者モニタリングステーションが提供される。患者モニタリングステーションは、各セクタが１以上のタイルを有する複数のセクタを表示するディスプレイから構成される。コントローラは、ディスプレイの対応するセクタにおいて患者情報サーバから受信した患者データを表示する。コントローラは、選択された臨床テーマに従って患者データをセクタのタイルに含めるようプログラムされるか、又は含める手段を有する。
【０００５】
他の態様によると、医療パラメータを表示する方法が提供される。本方法は、ディスプレイの対応するセクタにおいて患者情報サーバから受信した患者データを表示するようディスプレイを制御するステップと、選択された臨床テーマに従って患者データをセクタの１以上のタイルに含めるステップと、選択された臨床テーマに従って患者データを含むタイルを表示することによって、セクタのレイアウトを最適化するステップとを有する。
【発明の効果】
【０００６】
１つの効果は、患者モニタリング装置上の患者情報のレイアウトの自動的かつリアルタイムな最適化にある。
【０００７】
他の効果は、動的なセクタレイアウトの利用にある。
【０００８】
他の効果は、必須でない患者情報からの画面の乱雑及び注意散漫の低減にある。
【０００９】
他の効果は、患者モニタリング装置上の患者情報のより容易な可読性にある。
【００１０】
本発明のさらなる効果は、以下の詳細な説明を参照及び理解した当業者に理解されるであろう。
【００１１】
本発明は、各種コンポーネント及びコンポーネントの構成と、各種ステップ及びステップの構成との形態をとりうる。図面は、好適な実施例を説明するためのだけのものであり、本発明を限定するものとして解釈されるべきでない。
【図面の簡単な説明】
【００１２】
【図１】図１は、本出願により患者モニタリングシステムの概略図である。
【図２】図２は、本出願による患者情報表示システムの１０セクタディスプレイの一例を示す。
【図３】図３は、本出願による患者情報表示システムの数値専用セクタの一例を示す。
【図４】図４は、本出願による患者情報表示システムの数値専用セクタの一例を示す。
【図５】図５は、本出願による患者情報表示システムの数値専用セクタの一例を示す。
【図６】図６は、本出願による患者情報表示システムの基本ビューセクタの一例を示す。
【図７】図７は、本出願による患者情報表示システムの基本ビューセクタの一例を示す。
【図８】図８は、本出願による患者情報表示システムの基本ビューセクタの一例を示す。
【図９】図９は、本出願による患者情報表示システムの基本ビューセクタの一例を示す。
【図１０】図１０は、本出願による患者情報表示システムのＳＴマップセクタの一例を示す。
【図１１】図１１は、本出願による患者情報表示システムのＳＴマップセクタの一例を示す。
【図１２】図１２は、本出願による患者情報表示システムのＳＴマップセクタの一例を示す。
【図１３】図１３は、本出願による患者情報表示システムのＳＴマップセクタの一例を示す。
【図１４】図１４は、本出願による患者情報表示システムのトレンドセクタの一例を示す。
【図１５】図１５は、本出願による患者情報表示システムのトレンドセクタの一例を示す。
【図１６】図１６は、本出願による患者情報表示システムのトレンドセクタの一例を示す。
【図１７】図１７は、本出願による患者情報表示システムの数値履歴データセクタの一例を示す。
【図１８】図１８は、本出願による患者情報表示システムの数値履歴データセクタの一例を示す。
【図１９】図１９は、本出願による患者情報表示システムの数値履歴データセクタの一例を示す。
【図２０】図２０は、本出願による患者情報表示システムのトレンド履歴セクタの一例を示す。
【図２１】図２１は、本出願による患者情報表示システムのトレンド履歴セクタの一例を示す。
【図２２】図２２は、本出願により患者モニタリングシステムの処理のフローチャート図である。
【発明を実施するための形態】
【００１３】
図１を参照して、患者情報サーバ１０は、各種医療モニタリング装置又はセンサ１４により割り当てられた患者（図示せず）をモニタする複数の多機能患者モニタ装置（ＰＭＤ）１２から生理データを受信する。医療モニタリング装置１４は、患者の生理パラメータを測定し、それを示す生理データを生成する。これらの医療モニタリング装置１４は、ＥＣＧ電極、ＩＶ流体ポンプ、血圧センサ、ＳｐＯ２センサ、パルスセンサ、サーモメータ、呼吸センサ、排気ガスセンサなどを備えた心電図（ＥＣＧ）装置を有してもよい。他の医療モニタリング装置１４は、患者に付属可能であり、上述した医療モニタリング装置１４の必ずしもすべてが所与の時間に患者に付属されている必要はない。２つの患者モニタ１２と医療モニタリング装置１４しか示されていないが、より多くの患者モニタ及び医療モニタリング装置が想定されることが理解されるべきである。ここで用いられる医療モニタリング装置は、患者の変更などを示すデータソースを意味する。医療モニタリング装置１４から信号を受信し、任意的には、当該信号に対して信号処理を実行するためのエレクトロニクスが、図示された実施例では多機能患者モニタ装置（ＰＭＤ）１２に実現されるか、又は医療モニタリング装置１４の１以上などが配置されたオンボードエレクトロニクスとして部分的に又は全体的に実現されてもよい。また、医療モニタリング装置１４及びＰＭＤ１２はまた、単一の装置に実現可能であることが理解されるべきである。ＰＭＤ１２は、例えば、携帯型患者装着モニタリングシステムなどの送信機など、患者と一緒に移動するモニタ又はモニタリングシステムであってもよい。
【００１４】
一実施例では、医療モニタリング装置１４は、体に結合されたネットワーク、ブルートゥース、有線若しくは無線ネットワークなどを介し生成された生理データをＰＭＤ１２のコントローラ１６に送信する。ＰＭＤ１２は、医療モニタリング装置１４により測定された生理データの収集ポイントとして機能し、メモリ１８へのデータの一時的な格納を提供する。収集された生理データは、ＰＭＤ１２のコントローラ１６に同時送信され、コントローラ１６は、その後に生理データが表示及び格納される患者情報サーバに病院ネットワーク（図示せず）を介し生理データを送信する。ＰＭＤ１２のコントローラ１６はまた、対応するＰＭＤディスプレイ２０において医療モニタリング装置１４のそれぞれから受信した測定された生理データを表示するようディスプレイ２０を制御する。コントローラ１６はまた、以下でより詳細に説明される１以上の動的なセクタレイアウトを利用して、ディスプレイ２０のレイアウトを最適化する。動的なセクタレイアウトは、定義されたルールを利用して、セクタのサイズ、ディスプレイ２０の解像度及びサイズ、利用可能な患者データ並びにユーザにより選択された臨床テーマに基づき、ディスプレイ２０のセクタをレイアウトする。選択された臨床テーマは、ユーザが特定の体組織、病気、関心コンセプト、病気又は回復の進捗などに具体的に関連する特定のタイルによりセクタを投入することを可能にする。任意的には、最適化ユニット２４は、１以上の動的なセクタレイアウトを利用して、ディスプレイのレイアウトを最適化する。ＰＭＤ１２はまた、システム管理者などのユーザが臨床テーマを閲覧、操作、選択し、ディスプレイ２０に表示されたデータとやりとりすることを可能にする入力装置を有する。入力装置２２は、独立したコンポーネント又はタッチ画面モニタなどのディスプレイ２０に一体化可能である。
【００１５】
患者情報サーバ１０のコントローラ２６は、ＰＭＤ１２から生理データを受信し、生理データをメモリ２８に格納する。その後、コントローラ２６は、患者から受信した生理データをディスプレイ３０に表示するため、患者情報サーバ１８のディスプレイ３０を制御する。コントローラ２６はまた、以下でより詳細に説明される１以上の動的なセクタレイアウトを利用して、ディスプレイ３０のレイアウトを最適化できる。動的なセクタレイアウトは、定義されたルールを利酔いして、セクタのサイズ、ディスプレイ３０の解像度及びサイズ、利用可能な患者データ、及びユーザにより選択された臨床テーマに基づき、ディスプレイ３０のセクタをレイアウトする。任意的には、最適化ユニット３４は、１以上の動的なセクタレイアウトを利用して、ディスプレイのレイアウトを最適化する。患者情報サーバはまた、管理者などのユーザが臨床テーマを閲覧、操作、選択し、及び／又はディスプレイ３０に表示されたデータとやりとりすることを可能にする入力装置３２を有する。入力装置３２は、独立したコンポーネント又はタッチ画面モニタなどのディスプレイ３０に一体化可能である。
【００１６】
一実施例では、測定された生理データは、患者情報データベース３６に送信及び格納される。測定された生理データは、患者ケーススタディに格納される。患者情報データベースは、過去の患者データフィールドを含む患者ケーススタディの履歴を格納する患者データベース３８を有する。過去の患者データフィールドは、１以上のバイタルサイン（心拍、血圧、呼吸レート、酸素サチュレーション、体重、他の血圧などを含む）、慢性的問題を含む自動的又はユーザにより入力された問題リスト、急性入院問題（胸の痛み、息切れ、変化した精神状態／精神錯乱、腹痛など）、ＩＣＤ−９コード（又は等価なコード化された医療問題）、臨床実験データ、体液平衡、薬、人工呼吸器設定、主観的な介護評価、イメージング検査の結果、患者データ（年齢、性別、人種／民族、背景）、病院又はＩＣＵにおける現在の滞在期間、及び患者のケーススタディに関するものなどを含む。サーチエンジン４０は、要求された患者ケーススタディとの相関を求めるため、患者ケーススタディの履歴を患者データベース３８から検索する。要求された患者ケーススタディは、患者情報サーバ１０の入力装置３２を介しユーザにより入力される。相関する患者ケーススタディは、その後、患者情報データベース３６のコントローラによって履歴データが格納されている患者情報サーバ１０のコントローラ２６に履歴データとして送信される。コントローラ２６はまた、以下に詳細に説明される１以上の動的なセクタレイアウトを利用して、患者情報データベース３６から受信した履歴データを表示するため、患者情報サーバ１８のディスプレイ３０を制御及び最適化する。
【００１７】
他の実施例では、患者情報サーバ１０に格納されている履歴データ及び生理データは、複数の患者情報表示システム４４に送信される。患者情報表示システム４４は、集中化されたマルチ患者臨床表示ステーションなどにおいて複数の患者をモニタリングする。例えば、看護士は、患者のベッドサイドのモニタ、他の患者のベッドサイドのモニタ、中央モニタリングステーション、モバイルモニタリングディスプレイ、ＰＤＡなどにおいて複数の患者の生理データ及び履歴データを閲覧してもよい。３つの患者情報ディスプレイ４４しか示されていないが、より多くの患者情報ディスプレイが想定されることが理解されるべきである。各患者情報表示システム４４のコントローラ４６は、患者情報サーバ１０から生理データ及び履歴データを受信し、メモリ４８に生理データ及び履歴データを格納する。コントローラ４６はまた、診断、ＩＣＤ９コード、場所（集中治療、手術室、リカバリなど）など、臨床テーマ又は当該テーマが推測可能な情報を受信する。その後、コントローラ４６は、受信した生理データ及び履歴データをディスプレイ５０に表示するため、患者情報表示システム４４のディスプレイ５０を制御する。コントローラ４６はまた、以下でより詳細に説明される１以上の動的なセクタレイアウトを利用して、ディスプレイ５０のレイアウトを最適化できる。動的なセクタレイアウトは、定義されたルールを利用して、セクタのサイズ、ディスプレイ５０の解像度及びサイズ、利用可能な患者データ、及びユーザにより選択された臨床テーマに基づきディスプレイ５０のセクタをレイアウトする。任意的には、最適化ユニット５４は、１以上の動的なセクタレイアウトを利用して、ディスプレイのレイアウトを最適化する。患者情報表示システム４４はまた、管理者などのユーザが患者ケーススタディのれれきを要求し、臨床テーマを閲覧、操作、選択し、及び／又はディスプレイ５０に表示されたデータとやりとりすることを可能にする入力装置５２を有する。入力装置５２は、独立したコンポーネント又はタッチ画面モニタなどディスプレイ５０に一体化可能である。また、ＰＭＤ１２及び患者情報サーバ１０は、患者情報サーバ１０に格納されている生理データ及び履歴データを受信及び表示する患者情報表示システムであることが理解されるべきである。
【００１８】
患者モニタ１２、患者情報サーバ１０、患者情報データベース３６及び患者情報表示システム４４はそれぞれ、例えば、以下により詳細に説明される処理を実行するための患者モニタリングソフトウェアを実行するよう構成されるマイクロプロセッサ又は他のソフトウェア制御装置などのプロセッサを含む。典型的には、患者モニタリングソフトウェアは、プロセッサによる実行又はプログラミングのための非一時的な有形メモリ又はコンピュータ可読媒体上に担持される。コンピュータ可読媒体のタイプは、ハードディスクドライブ、ＣＤ−ＲＯＭ、ＤＶＤ−ＲＯＭなどのメモリを含む。プロセッサの他の実現形態がまた想定される。ディスプレイコントローラ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ及びマイクロコントローラが、プロセッサの機能を提供するよう実現可能な他のタイプのコンポーネントの例示的な具体例である。各実施例は、プロセッサによる実行用のソフトウェア、ハードウェア又はこれらの何れかの組み合わせを用いて実現されてもよい。
【００１９】
上述されるように、コントローラ１６，２６，４６は、患者情報表示システム１０，１２，４４のディスプレイ２０，３０，５０に患者情報サーバ１０に格納されている生理データ及び履歴データを表示するよう指示する。図２を参照して、患者情報表示システム４４のディスプレイ２０，３０，５０は、各セクタ６０がある患者から受信した又は対応する情報を表すセクタ６０に分割される。また、各セクタ６０は１つの患者履歴ケーススタディに対応する情報を表すことが可能であることが想定される。１０個のセクタ６０が図２に示されるが、より多く又は少ないセクタもまた想定される。患者情報表示システム４４毎のセクタ６０の個数及びサイズは、ディスプレイ２０，３０，５０のサイズ、患者と患者情報表示システム１０とのレシオ、患者数及び他のファクタにより規定可能である。図示されるように、ディスプレイ２０，３０，５０の各セクタ６０は、１人の患者に対応する。各患者又は患者ケーススタディに関連する生理データ又は履歴データは、対応するセクタ６０内に表示される。特定のベッドに患者が入院していないとき、病院患者管理システムは、患者が割り当てられておらず、患者が入院していないことを示すメッセージが表示された情報を患者情報サーバ１０から受信することを期待しないよう患者情報表示システム４４に通知する。
【００２０】
ディスプレイ２０，３０，５０のセクタ６０は、患者情報サーバ１０から受信した生理データ及び履歴データに対応する複数のタイル６４を有する。例えば、セクタ６０は、患者の名前、ベッド又はルーム番号、割り当てられた患者グループ、介護士又はチーム、一意的な病院ＩＤなどの他の識別情報が表示される患者ＩＤタイル６６を有する。ＥＣＧタイル６８は、患者に関して患者情報サーバ１０から受信した直近のＥＣＧ測定値を表示する。パルスタイル７０は、患者の直近のパルスレート測定値を表示する。血圧タイル７２は、患者からの直近の血圧測定値を表示する。また、ＳｐＯ２タイル７４、呼気終末ＣＯ２（ｅｔＣＯ２）タイル、呼吸タイル、アラームタイル、波形タイル、ＳＴマップタイル、トレンドタイル、他の生理データタイル、履歴データタイル、バッテリ寿命タイルなどがあってもよい。他のタイル６４は、セクタ６０に関連付け可能であり、上述したタイル６４の必ずしもすべてが、所与の時間にセクタ６０に関連付けされる必要はない。
【００２１】
コントローラ１６，２６，４６は、動的なセクタレイアウトを利用して、患者情報表示システム４４のディスプレイ２０，３０，５０のセクタ６０のレイアウトを自動的に最適化する。動的なセクタレイアウトは、利用可能なデータタイプ、臨床テーマ並びにディスプレイ２０，３０，５０の解像度及びサイズを利用して、セクタ６０内のタイル６４のレイアウトを最適化する。固定サイズとデータの配置とを有するセクタ内のタイルの代わりに、動的なレイアウトは、定義されたルールを利用して、セクタ６０のサイズ、利用可能な生理データ及び履歴データ、ユーザの嗜好並びに選択された臨床テーマに基づきセクタ６０をレイアウトする。選択された臨床テーマは、セクタ６０に特定の体組織、病気、関心コンセプト、処置などに具体的に関連する特定のタイル６４が含まれることを可能にする。例えば、ユーザが患者の血圧に関する情報を表示することを所望する場合、ユーザは、血圧臨床テーマを選択し、コントローラ１６，２６，４６は、関連するタイルによりセクタを手作業により設定する必要なく、患者の血圧に関連するタイルをセクタに自動的に含める。タイルはまた、処置に関連する臨床テーマに基づき含めることが可能であり、例えば、麻酔データビューが呼吸ガスタイルを、麻酔データビューを生成するため異なる装置又は装置インタフェースからの人工呼吸器データタイルと共に含むことになる。ユーザはまた、心臓発作リカバリ、心臓手術準備、心臓手術、心臓手術リカバリ、回復の臨床テーマを、他の医療状態、他の影響を受ける組織、他の処置段階、他のタイプの処置などに基づくテーマと共に選択可能である。臨床テーマが選択されると、コントローラ１６，２６，４６は、何れの生理データ又は履歴データが患者情報サーバ１０から利用可能であるか決定し、選択された臨床テーマに最も関連するタイルをセクタに含め、より重要なタイルをより大きく、より目立つように表示する。例えば、ユーザが血圧臨床テーマを選択した場合、コントローラ１６，２６，４６は、何れの生理パラメータがモニタリングされていたか、又は何れの履歴パラメータがモニタリングされたか決定し、セクタに含めるべき血圧に関連するベストな利用可能なタイルを選択する。
【００２２】
ディスプレイ２０，３０，５０に加えて、ユーザインタフェース処理、臨床テーマの選択及びモニタリングされた生理データの交換を可能にするため、患者情報表示システムはまた、各セクタ６０についてセクタユーザインタフェース又は入出力（Ｉ／Ｏ）部７６を有することが可能である。セクタユーザインタフェース７６は、ユーザが臨床テーマを選択し、タッチ画面ディスプレイなどのディスプレイ１８に表示される各セクタ２６のデータを閲覧及び／又は操作することを可能にする。あるいは、患者情報表示システムは、任意的には、キーパッド、キーボード、タッチ感知画面又はユーザ入力を可能にする他のユーザ入力装置（図示せず）を搭載する。
【００２３】
コントローラ１６，２６，４６は、リアルタイムに臨床テーマを具体的に関連する特定のタイル６４をセクタ６０に含めることによって、セクタ６０のレイアウトを最適化する。コントローラ１６，２６，４６は、各臨床テーマについてタイルの優先順位に基づきタイル６４を選択する。各臨床テーマについて、タイル割当て系列は、ルックアップテーブルにおいて優先順位付けされる。コントローラ１６，２６，４６は、何れの生理データ及び履歴データが利用可能であるか決定し、臨床テーマのタイル割当てとベストなパラメータとを関連付ける。割り当てられるタイルのためのデータが存在しないとコントローラが判断した場合、コントローラは、次の優先順位のタイルが割当て可能であるか判断する。例えば、第１優先順位のタイルを心拍とし、第２優先順位のタイルを血圧と割り当てる臨床テーマにおいて、コントローラ１６，２６，４６は、心拍を示す利用可能なベストなパラメータを心拍タイルに割り当てる。脈拍は、例えば、ＥＣＧ信号、ＳｐＯ２信号、血圧信号などの各種ソースから到来可能である。セクタに割り当てられる次のタイルは、患者の血圧を示す利用可能なベストなパラメータとなる。セクタのより大きなスペースが利用可能になると、優先順位付けされたルックアップテーブルからのより多くのタイルが表示される。セクタのスペースが減少すると、コントローラ１６，２６，４６は、優先順位付けされたルックアップテーブルに基づきセクタからタイルを削除する。優先順位付けされたルックアップテーブルは、数値タイル、トレンドタイル、波タイルなどを有する。例えば、心臓テーマの臨床テーマは、ＥＣＧ波形、ＳＴマップ、ＳＴ抜粋、特定の実験値に関連する具体的なタイルを含むことが可能であり、コントローラ１６，２６，４６は、当該テーマを利用して、利用可能なセクタスペースについてこれらのタイルの最適なもの及び最適数を割り当てる。
【００２４】
何れのタイル６４がセクタ６０に割り当てられるか決定すると共に、コントローラ１６，２６，４６はまた、タイル６４のサイズを決定する。コントローラ１６，２６，４６は、セクタ６０において利用可能なスペースを最適化し、テーマについてより高い優先度の情報の可視性を最適化するため、各種タイル６４のサイズを変更する。各タイル６４は、コントローラがセクタ６０のレイアウトを決定することを可能にする最大及び最小サイズを有する。コントローラ１６，２６，４６は、臨床テーマの優先順位付けされたタイルの最小値を利用して、セクタに割当て可能なタイルの最大数を計算する。例えば、臨床テーマにおけるタイルの優先順位付けされたルックアップテーブルがＰ波タイル、ＳＴマップタイル及びトレンドタイルから構成される場合、コントローラ１６，２６，４６は、Ｐ波タイルをセクタタイルに割り当てることになる。Ｐ波タイルの最小サイズとＳＴマップタイルの最小サイズとが、利用可能なサイズより大きいと判断された場合、コントローラは、Ｐはタイルのみをセクタに割り当てることになる。利用可能なスペースがＰ波タイル及びＳＴマップタイルの最小サイズを割り当てるのに十分大きい場合に限って、コントローラ１６，２６，４６は、これらのタイルの両方を割り当てるが、トレンドタイルを割り当てない。利用可能なスペースが３つすべてのタイルの最小サイズを割り当てるのに十分大きい場合、３つすべてのタイルがセクタに割り当てられることになる。セクタは、ベッドのラベル又は心拍を表示する１つのタイルに最小化可能であると想定される。利用可能なデータのすべてが表示され、セクタがフルでない場合、すべてのタイルのいくつかのサイズが、より高い優先度の情報を優先させて拡大可能である。
【００２５】
また、医師が毎分の情報を容易に計算できるように、ＥＣＧグラフ上の心臓サイクルの回数などの期間が、６０の除数などの特定のインクリメントによりタイル上に表示されることが想定される。コントローラはまた、格納される情報量に基づきタイルのサイズを最適化できる。格納される情報量がデフォルトの期間未満である場合、コントローラは、データを適切に表示するため、タイルを拡大可能である。コントローラ１６，２６，４６はまた、患者グループ、ケアグループなどの具体的なカラー及びアイコン表現を表示するようタイルを制御可能である。例えば、患者がケアユニットの外部に移動したと判断された場合、コントローラ１６，２６，４６はセクタを最小化することになる。これは、患者のパラメータがもはや現在のケアユニットにおいてモニタリングされる必要がないためである。
【００２６】
図３〜５を参照して、複数の数値タイル１００が、患者情報ディスプレイのセクタ１０２に表示される。セクタ１０２は、適合するものに依存して２倍までの高さで他の何れかよりも大きな３つの数値タイル１００を含む（及び比例的によりワイドに、又は適合するのと同じ幅で）。これは、患者の過半数において、介護士は心拍、ＳｐＯ２及び圧力に主に関心があるためである。他のすべての数値タイルは、トップに最も高い優先度を有する最初の３つの周りに示され、その後、利用可能なスペースに依存して左右又は上下に移動する。
【００２７】
図６〜９を参照して、複数の数値タイル１１０及び波タイル１１２が患者情報ディスプレイのセクタ１１４に表示される。これは、波タイル１１２と数値タイル１１０とによるデータの最も一般的なビューである。セクタが小さすぎて、２つの数値タイルと共に３秒の波タイルを表示することができない場合、セクタは、“数値専用”に戻る。波タイル１１２は、垂直方向にスタックされたセクタ１１４の左上にある。波タイル１１２は、各波タイル１１２の右に隣同士に適合するように、２つの数値タイル１１０を依然として可能にしながら、可能な限り長くなる（３，６又は１０サイクル）。セクタ１１４は、垂直方向にスタックされるとき、利用可能な又は適合するのと同数の波タイル１１２を示す。“揃えられた数値”（ＡＢＰ（Ａｒｔｅｒｉａｌ  Ｂｌｏｏｄ  Ｐｒｅｓｓｕｒｅ）波タイルに関連付けされたＡＢＰ数値などの波に関連付けされた数値タイル）が、関連する波タイル１１２の隣に表示される。これらの数値タイル１１０は、他の数値タイル１１４より若干大きい。心拍数値タイルは、他の揃えられた数値タイルよりかなり大きく、第１波タイルの隣に２つの数値タイルのスペースを占有する。揃えられた数値タイル１１０の周りのスペースは、先頭に最も高い優先度の数値タイル１１０により充填される。波タイル１１４の下方のスペースはまた（利用可能なスペースが少なくとも数値の最小の高さである場合）、左上から右下に最も高い優先度の数値タイル１１０により充填される。
【００２８】
図１０〜１１を参照して、心臓評価に利用されるＳＴマップタイル１２２を含む複数のセクタ１２０が示される。ＳＴマップタイル１２２は、セクタにおいて下部の２つの波により占有されるスペースをＳＴマップタイル１２２が置換することを除き、“基本ビュー”と同様である。心臓評価を行うとき、プライマリＥＣＧ波を示すことが臨床的に重要であるため、当該ビューは、３つの波がセクタに適合可能であるときに限って利用可能である（ＳＴマップにより置換可能な１つのプライマリＥＣＧ波と２つの波）。当該要件が充足されない場合、レイアウトは“基本ビュー”のデフォルトとなる。
【００２９】
図１２〜１３を参照して、心臓評価に利用される断片タイル１３４と共にＳＴマップタイル１３２を含む複数のセクタ１３０が示される。ＳＴ断片タイル１３４は、心臓評価にも利用されるＥＣＧビートのスナップショットである。このビューは、以下の非排他的な一例となるルールにより定義される。すなわち、これは、断片タイルがＳＴマップタイルの右に表示されることを除き“ＳＴマップ”と同様である。“ＳＴマップ”に関して、当該ビューは、３つの波がセクタに適合可能であるときに限って利用可能である。これは、実際には、“ＳＴマップ及び側方断片”、“ＳＴマップ及び内部断片”、及び“ＳＴマップ及び前方断片”の３つの別々のレイアウトを含み、ユーザは、何れの断片タイルを表示するか選択できる。ＳＴマップは、患者の性別及び現在の証拠に基づくガイドラインに基づく動作リミット又はＳＴＥＭＩリミットを示す。
【００３０】
図１４〜１６を参照して、トレンドタイル１４２を含む複数のセクタ１４０が示される。トレンドタイル１４２は、経時的な生理サインの履歴を示すのに利用される。当該ビューは、以下のルールにより定義される。すなわち、これは、下方の波タイルの２つまでがトレンドタイル１４２に置換されることを除き、“基本ビュー”と同様である。プライマリＥＣＧ波タイルはしばしば最も高い優先度を有し、このため、２つの波タイルがセクタに適合する場合、これらの１つのみがトレンドタイル１４２と置換される。３以上の波タイルが適合する場合、下方の２つの波タイルが置換される。１より多くの波タイルが適合可能でない場合、当該ビューはデフォルトで“基本ビュー”となる。当該波タイルの幅に依存して、複数のトレンドタイル１４２は、１つの波タイルのスペースに適合可能である。
【００３１】
図１７〜１９を参照して、履歴データタイル１５２を含む複数のセクタ１５０が示される。セクタ１５０は、適合するものに依存して履歴データタイル１５２を含む（及び比例的により幅があるか、又は適合するのと同じ幅）。最も高い優先度の履歴データタイル１５２が先頭に表示され、その後、利用可能なスペースに依存して左右及び上下に移動する。
【００３２】
図２０〜２１を参照して、履歴トレンドタイル１６２を含む複数のセクタ１６０が示される。履歴トレンドタイル１６２は、経時的に生理サインの履歴を表示するのに利用される。最も高い優先度の履歴トレンドタイル１６２が先頭に表示され、その後、利用可能なスペースに依存して下方に移動する。
【００３３】
図２２は、患者モニタリングシステムのコントローラの主要な処理を示す。コントローラ１６，２８，４６は、以下のステップを実行するようプログラムされた１以上のプロセッサ又はコンピュータを有する。より詳細には、コントローラは、ステップ２００において、患者情報サーバから患者データを受信する。ステップ２０２において、コントローラは臨床テーマを受信する。コントローラは、ステップ２０４において、選択されたテーマのタイル優先順位を格納するルックアップテーブル又は他のメモリにアクセスする。ステップ２０６において、コントローラは、何れの患者データが、患者情報データベースに受信又は格納されるなどの利用可能であるか決定する。ステップ２０８において、利用可能なセクタのサイズが決定される。ステップ２１０において、表示されるタイルが、セクタサイズ、ルックアップテーブルからアクセスされる優先度及び利用可能なデータに基づき選択される。ステップ２１２において、タイルのポジション及びサイズが最適化される。２１４において、ディッスプレイは、決定されたサイズにより決定されたポジションにタイルを表示するよう制御される。データが受信されると、又はステップ２１６において、ディスプレイは、表示される値を更新するよう構成される。より多くの又はより少ない表示スペースが利用可能になる場合、ステップ２１８において、表示されるタイルの選択、配置及びサイズは、上述されたように動的かつ自動的に調整される。同様に、患者が回復又は悪化する場合、ステップ２２０において、異なる臨床テーマが上記処理により選択され、タイルの選択及びサイズが動的かつ自動的に変更される。臨床テーマの選択又は選択の変更は、位置、患者の診断、患者情報データベースからの他のレコード、受信したデータ値などに基づき手作業により又は自動的に選択可能である。
【００３４】
本発明が好適な実施例を参照して説明された。上述した詳細な説明を参照及び理解した他の者には、改良及び変更が想起するかもしれない。本発明は、添付した請求項又はその均等の範囲内に属する限り、このようなすべての改良及び変更を含むものとして構成されることが意図される。
0005961627.tif 000002
【図１】
0005961627.tif 000003
【図２】
0005961627.tif 000004
【図３】
0005961627.tif 000005
【図４】
0005961627.tif 000006
【図５】
0005961627.tif 000007
【図６】
0005961627.tif 000008
【図７】
0005961627.tif 000009
【図８】
0005961627.tif 000010
【図９】
0005961627.tif 000011
【図１０】
0005961627.tif 000012
【図１１】
0005961627.tif 000013
【図１２】
0005961627.tif 000014
【図１３】
0005961627.tif 000015
【図１４】
0005961627.tif 000016
【図１５】
0005961627.tif 000017
【図１６】
0005961627.tif 000018
【図１７】
0005961627.tif 000019
【図１８】
0005961627.tif 000020
【図１９】
0005961627.tif 000021
【図２０】
0005961627.tif 000022
【図２１】
0005961627.tif 000023
【図２２】
0005961627.tif 000024